(57)【特許請求の範囲】
【請求項１】
次の１〜１１の構成を備えたことを特徴とする映像系１心、監視系１心WDM方式によるによるCATV用EDFA監視システム。
１  監視機能付きCATVセンタ（５０）と、監視機能付きCATVセンタ（５０）の外に配置された二以上の監視機能付きEDFA機器（６０）を備え、
２  前記監視機能付きCATVセンタ（５０）は映像信号を増幅するEDFA（５１）を、前記二以上の監視機能付きEDFA機器（６０）は映像信号を増幅するEDFA（６１）を備え、
３  前記監視機能付きCATVセンタ（５０）は、その内部のEDFA（５１）と、前記監視機能付きEDFA機器（６０）のEDFA（６１）の異常を監視する監視装置（５２）と、スイッチングハブ（５３）と、イーサネット信号を電気と光に相互に変換可能なメディアコンバータ（５４）を備え、前記監視装置（５２）、メディアコンバータ（５４）は前記スイッチングハブ（５３）のポートに接続され、
４  前記監視機能付きEDFA機器（６０）は、その内部のEDFA（６１）の異常信号を送受信する異常送受信部（７０）を備え、
５  前記異常送受信部（７０）は、イーサネットスイッチングハブ部（イーサネットは登録商標、以下同じ）（７１）と、CPU（７２）と、上流側光トランシーバ（７３）と下流側光トランシーバ（７４）を備え、
６  前記CPU（７２）は、監視機能付きEDFA機器（６０）のEDFA（６１）の異常時にそのEDFA（６１）から発生されるアラーム信号をイーサネット信号に変換して前記イーサネットスイッチングハブ部（７１）に送信することができるものであり、
７  前記上流側光トランシーバ（７３）は、前記イーサネットスイッチングハブ部（７１）の上流側に設けられ、センタ側から送られる下り光監視信号をＯ／Ｅ変換するＯ／Ｅ変換器（７５）と、イーサネットスイッチングハブ部（７１）からの上り監視電気信号をＥ/Ｏ変換するＥ/Ｏ変換器（７６）と、WDMフィルタ（７７）を備え、そのWDMフィルタ（７７）は、前記Ｏ／Ｅ変換器（７５）及びＥ/Ｏ変換器（７６）の上流側に配置されて、Ｏ／Ｅ変換器（７５）に送る下り監視光信号と、Ｅ/Ｏ変換器（７６）から送られる上り監視光信号を合・分波可能であり、
８  前記下流側光トランシーバ（７４）は、前記イーサネットスイッチングハブ部（７１）からの下り監視電気信号をＥ／Ｏ変換するＥ／Ｏ変換器（７８）と、下流側からの上り監視光信号をＯ/Ｅ変換するＯ/Ｅ変換器（７９）と、前記Ｅ／Ｏ変換器（７８）及びＯ/Ｅ変換器（７９）の下流側に設けられたWDMフィルタ（８０）を備え、そのWDMフィルタ（８０）は前記Ｅ／Ｏ変換器（７８）とＯ／Ｅ変換器（７９）の下流側に配置されて、下流側から伝送されてくる上り監視光信号と下流側に伝送する下り監視光信号を合・分波可能であり、
９  前記二以上の監視機能付きEDFA機器（６０）のEDFA（６１）は、映像系の光ファイバ（８１）１心で前記監視機能付きCATVセンタ（５０）のEDFA（５１）と多段接続され、前記二以上の監視機能付きEDFA機器（６０）の異常送受信部（７０）は、監視系の光ファイバ（８２）１心で監視機能付きCATVセンタ（５０）の監視装置（５２）と多段接続され、
１０  前記監視機能付きCATVセンタ（５０）内のEDFA（５１）及び前記監視機能付きEDFA機器（６０）のEDFA（６１）にSNMP機能が搭載され、
１１  前記監視機能付きCATVセンタ（５０）内のEDFA（５１）からの異常信号をその監視機能付きCATVセンタ（５０）内の監視装置（５２）に送信し、前記監視機能付きEDFA機器（６０）の前記イーサネットスイッチングハブ部（７１）と前記監視機能付きCATVセンタ（５０）内の監視装置（５２）との間で、監視機能付きEDFA機器（６０）におけるEDFA（６１）の異常信号をイーサネット信号により送受信し、それら異常信号に基づいて、監視機能付きCATVセンタ（５０）内のEDFA（５１）と、前記二以上の監視機能付きEDFA機器（６０）内のEDFA（６１）の異常を、監視機能付きCATVセンタ（５０）の監視装置（５２）においてSNMPアプリケーションで監視可能とした。
【請求項２】
次の１〜１２の構成を備えたことを特徴とする１心３波WDM方式によるCATV用EDFA監視システム。
１  監視機能付きCATVセンタ（５０）と、監視機能付きCATVセンタ（５０）の外に配置された二以上の監視機能付きEDFA機器（６０）を備え、
２  前記監視機能付きCATVセンタ（５０）は映像信号を増幅するEDFA（５１）を、前記二以上の監視機能付きEDFA機器（６０）は映像信号を増幅するEDFA（６１）を備え、
３  前記監視機能付きCATVセンタ（５０）は、その内部のEDFA（５１）と、前記監視機能付きEDFA機器（６０）のEDFA（６１）の異常を監視する監視装置（５２）と、スイッチングハブ（５３）と、イーサネット信号を電気と光に相互に変換可能なメディアコンバータ（５４）を備え、前記監視装置（５２）、メディアコンバータ（５４）は前記スイッチングハブ（５３）のポートに接続され、
４  前記監視機能付きEDFA機器（６０）は、その内部のEDFA（６１）の異常信号を送受信する異常送受信部（７０）と、下り映像信号と下り監視信号と上り監視信号の３波を合・分波可能な上流側３波WDMフィルタ（８３）と、その３波を合・分波可能な下流側３波WDMフィルタ（８４）を備え、
５  前記異常送受信部（７０）は、イーサネットスイッチングハブ部（７１）と、CPU（７２）と、上流側光トランシーバ（７３）と下流側光トランシーバ（７４）を備え、
６  前記CPU（７２）は、監視機能付きEDFA機器（６０）のEDFA（６１）の異常時にそのEDFA（６１）から発生されるアラーム信号をイーサネット信号に変換して前記イーサネットスイッチングハブ部（７１）に送信することができるものであり、
７  前記上流側光トランシーバ（７３）は、前記イーサネットスイッチングハブ部（７１）と前記上流側３波WDMフィルタ（８３）の間に設けられ、センタ側から送られる下り光監視信号をＯ／Ｅ変換するＯ／Ｅ変換器（７５）と、イーサネットスイッチングハブ部（７１）からの上り監視電気信号をＥ/Ｏ変換するＥ/Ｏ変換器（７６）と、WDMフィルタ（７７）を備え、そのWDMフィルタ（７７）は、前記Ｏ／Ｅ変換器（７５）及びＥ/Ｏ変換器（７６）の上流側と前記上流側３波WDMフィルタ（８３）の間に配置されて、前記監視機能付きCATVセンタ（５０）から前記上流側３波WDMフィルタ（８３）を通して伝送されてくる監視系の下り信号と、下流側から監視機能付きCATVセンタ（５０）に伝送する監視系の上り信号を合・分波可能であり、
８  前記下流側光トランシーバ（７４）は、前記イーサネットスイッチングハブ部（７１）と前記下流側３波WDMフィルタ（８４）の間に設けられ、前記イーサネットスイッチングハブ部（７１）からの下り監視電気信号をＥ／Ｏ変換するＥ／Ｏ変換器（７８）と、下流側からの上り監視光光信号をＯ/Ｅ変換するＯ/Ｅ変換器（７９）と、前記Ｅ／Ｏ変換器（７８）及びＯ/Ｅ変換器（７９）の下流側に設けられたWDMフィルタ（８０）を備え、そのWDMフィルタ（８０）は前記Ｅ／Ｏ変換器（７８）とＯ／Ｅ変換器（７９）の前記下流側３波WDMフィルタ（８４）の間に配置されて、下流側から前記下流側３波WDMフィルタ（８４）を通して伝送されてくる監視系の上り光信号と、下流側に伝送される監視系の下り光信号を合・分波可能であり、
９  前記二以上の監視機能付きEDFA機器（６０）のEDFA（６１）と異常送受信部（７０）は、それら監視機能付きEDFA機器（６０）の上流側３波WDMフィルタ（８３）と下流側３波WDMフィルタ（８４）と、前記監視機能付きCATVセンタ（５０）の前記３波WDMフィルタ（５５）を介して光ファイバ（８５）１心で前記監視機能付きCATVセンタ（５０）のEDFA（５１）に多段接続され、
１０  前記二以上の監視機能付きEDFA機器（６０）のEDFA（６１）は、映像系の光ファイバ（８１）１心で前記監視機能付きCATVセンタ（５０）のEDFA（５１）と多段接続され、前記二以上の監視機能付きEDFA機器（６０）の異常送受信部（７０）は、監視系の光ファイバ（８２）１心で監視機能付きCATVセンタ（５０）の監視装置（５２）と多段接続され、
１１  前記監視機能付きCATVセンタ（５０）内のEDFA（５１）及び前記監視機能付きEDFA機器（６０）のEDFA（６１）にSNMP機能が搭載され、
１２  前記監視機能付きCATVセンタ（５０）内のEDFA（５１）からの異常信号をその監視機能付きCATVセンタ（５０）内の監視装置（５２）に送信し、前記監視機能付きEDFA機器（６０）の前記イーサネットスイッチングハブ部（７１）と前記監視機能付きCATVセンタ（５０）内の監視装置（５２）との間で、監視機能付きEDFA機器（６０）におけるEDFA（６１）の異常信号をイーサネット信号により送受信し、それら異常信号に基づいて、監視機能付きCATVセンタ（５０）内のEDFA（５１）と、前記二以上の監視機能付きEDFA機器（６０）内のEDFA（６１）の異常を、監視機能付きCATVセンタ（５０）の監視装置（５２）においてSNMPアプリケーションで監視可能とした。
【発明の詳細な説明】
【技術分野】
【０００１】
本発明は、CATVセンタ内のEDFAと、CATVセンタの外に設置可能な監視機能付きEDFA機器におけるEDFのEDFA監視システムに関する。
【背景技術】
【０００２】
CATVシステムでは長距離伝送する光信号を増幅するために、図１のようにCATVセンタ内及び外部施設（電柱、建物等）にEDFA（Erbium Doped Fiber Amplifier）が設置されている。EDFAは屋内設置の場合（屋内型）も、屋外設置の場合（屋外型）も構成は同じであるが、通常は、屋内設置の場合はラックに収容され、屋外設置の場合はダイキャストの筺体内に収容されている。
【０００３】
CATVセンタ内外いずれのEDFAも、一般的には、図２に示すように、二つのPD１、２、二つのアイソレータ３、４、WDM、EDF（Erbium Doped Fiber）、980nmのLDを使用した励起光源５、コントローラ６を備えている。PD１はINの光レベルを、PD２はOUTの光レベルを夫々モニタするフォトダイオード、アイソレータ３、４は光を下り方向にのみ透過させて光の反射を防止して、反射による光の発振を防止するものであり、コントローラ６はPD１、２でモニタされた光レベルに基づいて励起光源５のLDを制御するものである。WDMはLDからの波長980nmの励起光をINに入力されるCATVの映像系信号に合波してEDFに送るための光多重合波器、EDFは励起光を入力することにより光増幅されるエルビウムドープ光ファイバである。
【０００４】
CATVシステムでは、常時、EDFAの光出力レベル、レーザバイアス電流、レーザ温度、ペルチェ電流（温度制御用ペルチェ素子の電流監視）、レーザ出力パワー、動作電圧等を監視している。
【０００５】
EDFAの監視方法には各種方法がある。EDFAが社内ネットワークと接続可能なCATVセンタ内（屋内）に設置されている場合は、EDFAにパソコン等の監視装置を有線で接続し、EDFAに異常が発生すると、その異常がLAN経由でCATVセンタの監視装置に直接報知されるようにしてある。
【０００６】
EDFAが外部施設に設置されている場合は、EDFAへの社内ネットワークの接続が困難であるため、図１のようにEDFAを公衆回線に接続して、EDFAの異常が公衆回線を通してCATVセンタ内の監視装置に伝送されるようにしてある。具体的には、図２のEDFAに異常が発生すると、EDFAから発生されるアラーム信号が、外部施設のアラーム集線装置（アラーム信号を公衆回線用モデムに接続するためにシリアル信号（RS−232C等）に変換する装置）でシリアル信号に変換されて公衆回線用モデムに入力され、公衆回線を通してCATVセンタの公衆回線用モデムに接続され、同センタ内の監視装置に異常が伝えられるようにしてある。この場合、CATVセンタ内のEDFAは図３（ａ）のようにアラーム出力部とCPUとLAN端子を備え、外部施設のEDFAは図３（ｂ）のようにアラーム出力部を備えている。
【０００７】
EDFAが屋外に設置されている場合は、図４のようにCATVセンタと夫々の屋外型EDFAとを光ケーブルで１対１に接続して、個々の屋外型EDFAの異常をCATVセンタで個別に監視する方法が考えられる。
【発明の開示】
【発明が解決しようとする課題】
【０００８】
１．前記監視方法のうち、図３の公衆回線を使用する方法は、外部施設に公衆回線を引き込む必要があるため、費用がかかり、回線使用料が発生してランニングコストがかかる、という課題がある。
２．前記監視方法のうち、図４のCATVセンタを個々の屋外型EDFAと１対１で接続する場合は、CATVセンタと屋外型EDFAとの距離が遠くなると、CATVセンタと屋外型EDFA間の伝送信号レベルが減衰して十分に伝送されないことがあるため、この監視方法は実用面で課題がある。
【課題を解決するための手段】
【０００９】
本発明は公衆回線を使用せずに屋内に設置されたEDFAの異常監視は勿論のこと、屋外に設置されたEDFAの異常監視をも可能とするものである。
【００１０】
本発明の映像系１心、監視系１心WDM方式によるによるCATV用EDFA監視システム
は、次の１〜１１の構成を備えたことを特徴とするものである。
１  監視機能付きCATVセンタ５０と、監視機能付きCATVセンタ５０の外に配置された二以上の監視機能付きEDFA機器６０を備え、
２  前記監視機能付きCATVセンタ５０は映像信号を増幅するEDFA５１を、前記二以上の監視機能付きEDFA機器６０は映像信号を増幅するEDFA６１を備え、
３  前記監視機能付きCATVセンタ５０は、その内部のEDFA５１と、前記監視機能付きEDFA機器６０のEDFA６１の異常を監視する監視装置５２と、スイッチングハブ５３と、イーサネット信号を電気と光に相互に変換可能なメディアコンバータ５４を備え、前記監視装置５２、メディアコンバータ５４は前記スイッチングハブ５３のポートに接続され、
４  前記監視機能付きEDFA機器６０は、その内部のEDFA６１の異常信号を送受信する異常送受信部７０を備え、
５  前記異常送受信部７０は、イーサネットスイッチングハブ部７１と、CPU７２と、上流側光トランシーバ７３と下流側光トランシーバ７４を備え、
６  前記CPU７２は、監視機能付きEDFA機器６０のEDFA６１の異常時にそのEDFA６１から発生されるアラーム信号をイーサネット信号に変換して前記イーサネットスイッチングハブ部７１に送信することができるものであり、
７  前記上流側光トランシーバ７３は、前記イーサネットスイッチングハブ部７１の上流側に設けられ、センタ側から送られる下り光監視信号をＯ／Ｅ変換するＯ／Ｅ変換器７５と、イーサネットスイッチングハブ部７１からの上り監視電気信号をＥ/Ｏ変換するＥ/Ｏ変換器７６と、WDMフィルタ７７を備え、そのWDMフィルタ７７は、前記Ｏ／Ｅ変換器７５及びＥ/Ｏ変換器７６の上流側に配置されて、Ｏ／Ｅ変換器７５に送る下り監視光信号と、Ｅ/Ｏ変換器７６から送られる上り監視光信号を合・分波可能であり、
８  前記下流側光トランシーバ７４は、前記イーサネットスイッチングハブ部７１からの下り監視電気信号をＥ／Ｏ変換するＥ／Ｏ変換器７８と、下流側からの上り監視光信号をＯ/Ｅ変換するＯ/Ｅ変換器７９と、前記Ｅ／Ｏ変換器７８及びＯ/Ｅ変換器７９の下流側に設けられたWDMフィルタ８０を備え、そのWDMフィルタ８０は前記Ｅ／Ｏ変換器７８とＯ／Ｅ変換器７９の下流側に配置されて、下流側から伝送されてくる上り監視光信号と下流側に伝送する下り監視光信号を合・分波可能であり、
９  前記二以上の監視機能付きEDFA機器６０のEDFA６１は、映像系の光ファイバ８１一心で前記監視機能付きCATVセンタ５０のEDFA５１と多段接続され、前記二以上の監視機能付きEDFA機器６０の異常送受信部７０は、監視系の光ファイバ８２一心で監視機能付きCATVセンタ５０の監視装置５２と多段接続され、
１０  前記監視機能付きCATVセンタ５０内のEDFA５１及び前記監視機能付きEDFA機器６０のEDFA６１にSNMP機能が搭載され、
１１  前記監視機能付きCATVセンタ５０内のEDFA５１からの異常信号をその監視機能付きCATVセンタ５０内の監視装置５２に送信し、前記監視機能付きEDFA機器６０の前記イーサネットスイッチングハブ部７１と前記監視機能付きCATVセンタ５０内の監視装置５２との間で、監視機能付きEDFA機器６０におけるEDFA６１の異常信号をイーサネット信号により送受信し、それら異常信号に基づいて、監視機能付きCATVセンタ５０内のEDFA５１と、前記二以上の監視機能付きEDFA機器６０内のEDFA６１の異常を、監視機能付きCATVセンタ５０の監視装置５２においてSNMPアプリケーションで監視可能とした。
【００１１】
本発明の１心３波WDM方式によるCATV用EDFA監視システムは、次の１〜１２の構成を備えたことを特徴とするものである。
１  監視機能付きCATVセンタ５０と、監視機能付きCATVセンタ５０の外に配置された二以上の監視機能付きEDFA機器６０を備え、
２  前記監視機能付きCATVセンタ５０は映像信号を増幅するEDFA５１を、前記二以上の監視機能付きEDFA機器６０は映像信号を増幅するEDFA６１を備え、
３  前記監視機能付きCATVセンタ５０は、その内部のEDFA５１と、前記監視機能付きEDFA機器６０のEDFA６１の異常を監視する監視装置５２と、スイッチングハブ５３と、イーサネット信号を電気と光に相互に変換可能なメディアコンバータ５４を備え、前記監視装置５２、メディアコンバータ５４は前記スイッチングハブ５３のポートに接続され、
４  前記監視機能付きEDFA機器６０は、その内部のEDFA６１の異常信号を送受信する異常送受信部７０と、下り映像信号と下り監視信号と上り監視信号の３波を合・分波可能な上流側３波WDMフィルタ８３と、その３波を合・分波可能な下流側３波WDMフィルタ８４を備え、
５  前記異常送受信部７０は、イーサネットスイッチングハブ部７１と、CPU（７２）と、上流側光トランシーバ７３と下流側トランシーバ７４を備え、
６  前記CPU７２は、監視機能付きEDFA機器６０のEDFA６１の異常時にそのEDFA６１から発生されるアラーム信号をイーサネット信号に変換して前記イーサネットスイッチングハブ部７１に送信することができるものであり、
７  前記上流側光トランシーバ７３は、前記イーサネットスイッチングハブ部７１と前記上流側３波WDMフィルタ８３の間に設けられ、センタ側から送られる下り光監視信号をＯ／Ｅ変換するＯ／Ｅ変換器７５と、イーサネットスイッチングハブ部７１からの上り監視電気信号をＥ/Ｏ変換するＥ/Ｏ変換器７６と、WDMフィルタ７７を備え、そのWDMフィルタ７７は、前記Ｏ／Ｅ変換器７５及びＥ/Ｏ変換器７６の上流側と前記上流側３波WDMフィルタ８３の間に配置されて、前記監視機能付きCATVセンタ５０から前記上流側３波WDMフィルタ８３を通して伝送されてくる監視系の下り信号と、下流側から監視機能付きCATVセンタ５０に伝送する監視系の上り信号を合・分波可能であり、
８  前記下流側光トランシーバ７４は、前記イーサネットスイッチングハブ部７１と前記下流側３波WDMフィルタ８４の間に設けられ、前記イーサネットスイッチングハブ部７１からの下り監視電気信号をＥ／Ｏ変換するＥ／Ｏ変換器７８と、下流側からの上り監視光光信号をＯ/Ｅ変換するＯ/Ｅ変換器７９と、前記Ｅ／Ｏ変換器７８及びＯ/Ｅ変換器７９の下流側に設けられたWDMフィルタ８０を備え、そのWDMフィルタ８０は前記Ｅ／Ｏ変換器７８とＯ／Ｅ変換器７９の前記下流側３波WDMフィルタ８４の間に配置されて、下流側から前記下流側３波WDMフィルタ８４を通して伝送されてくる監視系の上り光信号と、下流側に伝送される監視系の下り光信号を合・分波可能であり、
９  前記二以上の監視機能付きEDFA機器６０のEDFA６１と異常送受信部７０は、それら監視機能付きEDFA機器６０の上流側３波WDMフィルタ８３と下流側３波WDMフィルタ８４と、前記監視機能付きCATVセンタ５０の前記３波WDMフィルタ５５を介して光ファイバ８５一心で前記監視機能付きCATVセンタ５０のEDFA５１に多段接続され、
１０  前記二以上の監視機能付きEDFA機器６０のEDFA６１は、映像系の光ファイバ８１一心で前記監視機能付きCATVセンタ５０のEDFA５１と多段接続され、前記二以上の監視機能付きEDFA機器６０の異常送受信部７０は、監視系の光ファイバ８２一心で監視機能付きCATVセンタ５０の監視装置５２と多段接続され、
１１  前記監視機能付きCATVセンタ５０内のEDFA５１及び前記監視機能付きEDFA機器６０のEDFA６１にSNMP機能が搭載され、
１２  前記監視機能付きCATVセンタ５０内のEDFA５１からの異常信号をその監視機能付きCATVセンタ５０内の監視装置５２に送信し、前記監視機能付きEDFA機器６０の前記イーサネットスイッチングハブ部７１と前記監視機能付きCATVセンタ５０内の監視装置５２との間で、監視機能付きEDFA機器６０におけるEDFA６１の異常信号をイーサネット信号により送受信し、それら異常信号に基づいて、監視機能付きCATVセンタ５０内のEDFA５１と、前記二以上の監視機能付きEDFA機器６０内のEDFA６１の異常を、監視機能付きCATVセンタ５０の監視装置５２においてSNMPアプリケーションで監視可能とした。
【００１２】
【００１３】
【発明の効果】
【００１４】
本発明のCATV用EDFA監視システムにおける監視機能付きEDFA監視機器は次のような効果がある。
１．イーサネットスイッチングハブ部と、EDFAからのアラーム信号とイーサネット信号の送受信を制御するCPUを設けたので、CATVセンタの内外いずれのEDFAの異常も、公衆回線を使用せずに、光ネットワークを使用して、CATVセンタにおいて監視することができる。
【００１５】
本発明のEDFA監視システムにおける監視機能付きCATVセンタは次のような効果がある。
１．EDFAを監視する監視装置と、スイッチングハブと、メディアコンバータを備えたので、光ネットワークを使用してCATVセンタの内外いずれのEDFAの異常も、CATVセンタにおいて監視することができる。
【００１６】
本発明の監視機能付きEDFA監視システムは次のような効果がある。
１．監視機能付きEDFA機器のイーサネットスイッチングハブ部とCATVセンタのメディアコンバータ間をイーサネット信号で送受信して、CATVセンタ内外のEDFAをCATVセンタの監視装置で監視可能としたので、EDFAが多くても遠方のEDFAまで確実に信号伝送可能であり、確実に異常検知ができる。
２．監視システムの構成が簡潔になる。
３．公衆回線を利用する場合の課題が無い。
４．CATVセンタ内のEDFA及び外部の監視機能付きEDFA機器のEDFAにSNMP機能を搭載し、これらEDFAをCATVセンタの監視装置においてSNMPアプリケーションで監視可能としたので、手軽に、確実に異常監視ができる。
【発明を実施するための最良の形態】
【００１７】
（実施例１）
本発明のCATVシステムの監視機能付きEDFA機器の一例として図５に示すものは、２本の光ファイバ８１、８２を使用する２心型であり、EDFA６１と、光ポートを有するイーサネットスイッチングハブ部７１と、CPU７２と、上流側光トランシーバ７３、下流側光トランシーバ７４と、パルストランス及びRJ−45コネクタを備えた管理部２０が内蔵されている。
【００１８】
図５のCPU７２はEDFA６１の信号をイーサネットスイッチングハブ部７１に送り、イーサネット信号の送受信を制御するものである。イーサネットスイッチングハブ部７１はネットワーク間の接続を行うネットワークデバイスの一つであり、図６のように多数ポートを備え、それらポートに信号を分配する機能を持った集線装置であり、受信したパケット信号の内容を解析し、該当する端末が接続されているポートのみにパケットを高速で送信し、関係のないポートにはパケットを送信しない構成の機器であり、図６の（１）〜（４）の端末間で同時に通信を行うことができる。図５のイーサネットスイッチングハブ部は、管理ポートを含めなければ３ポートのスイッチングハブ構成（CPU×１ポート、光トランシーバ×２ポート）となる。
【００１９】
図５のパルストランスは外部と内部を絶縁し、外部からの高電圧を遮断するものである。図５の光トランシーバ内のO／Eは光／電気変換器、E／Oは電気／光変換器、WDMフィルタは監視系の下り信号（1550nm）と、監視系の上り信号（1310nm）を合・分波するためのものである。
【００２０】
図５のEDFA機器６０は図７のようにCATVセンタ５０と接続される。図７のCATVセンタ５０には、EDFA５１と、監視装置（PC）５２と、スイッチングハブ（SW）５３と、メディアコンバータ（MC）５４が設置されている。メディアコンバータ５４はイーサネット信号を電気と光に相互に変換可能な変換器であり、図５のEDFA６０の上流側の光トランシーバ７３の出力端と接続されている。
【００２１】
CATVセンタ５０とEDFA機器６０のEDFA５１、６１にはSNMPエージェント（機能）が搭載されている。SNMP（Simple Network Management Protocol）はネットワーク機器の監視と制御を行うプロトコルであり、SNMPエージェントが搭載されているEDFA５１、６１の異常を、SNMPマネージャと呼ばれる監視ソフト（アプリケーション）によってCATVセンタ５０の監視装置５２において監視できるようにしてある。
【００２２】
図７では映像信号系および監視系の下り信号に1550nm、監視系の上り信号に1310nmの波長の光を使用し、映像系に一心８１、監視系に一心８２の計２心を使用して、双方向WDM伝送で通信を行うようにしてある。図７の外部施設のEDFA機器６０では、CPU７２がEDFA６１を絶えず監視しており、異常な電圧が検出されると、CATVセンタ５０の監視装置５２と通信を行うためにイーサネット（プロトコル）信号をイーサネットスイッチングハブ部７１に送る。イーサネットスイッチングハブ部７１は、その信号を上流側の光トランシーバ７３に送り、CATVセンタ５０のＭＣ（メディアコンバータ）５４を通し、同CATVセンタ５０の監視装置５２との接続が成立し、アラーム信号がEDFA６１より監視装置５２に伝えられ、SNMPマネージャによって表示される。
【００２３】
本発明では図５のイーサネットスイッチングハブ部７１のポートを増やし、RJ−45コネクタを接続する事により、イーサネットの電気ポートとなり、管理ポートとして使用できるようにすることができる。また、図５のイーサネットスイッチングハブ部７１の管理ポートにPCを接続することにより、CATVセンタ５０の監視装置５２と同様の操作を行うことができ、接続している全ての外部施設６０のEDFA６１の監視が可能となる。
【００２４】
（実施例２）
本発明の監視機能付きEDFA機器の他の実施例を図８に示す。このEDFA機器は光ケーブル１本（１心）８５で、３波WDMでCATVセンタ５０と送受信可能としたものである。図８の監視機能付きEDFA機器６０の基本的構成は図５のEDFA機器６０と同じであり、異なるのは、EDFA６１と上流側光トランシーバ７３の上流側に上流側３波用WDMフィルタ８３を設け、EDFA６１と下流側光トランシーバ７４の下流側に下流側３波用WDMフィルタ８４を設けて、１心８５で波長の異なる３波をそれらWDMフィルタ８３、８４で合・分波して多重伝送できるようにしたことである。WDM方式は１本の光ファイバ８５に信号を多重する方式で、波長を変えて夫々の信号を光ファイバに入力する事により伝送が可能となる。このとき、信号を分波、混合（合波）を行う場所に波長ごとに信号を分けるWDMフィルタが必要になる。そのフィルタが図８の上流側３波用WDMフィルタ８３、下流側３波用WDMフィルタ８４である。図８では映像系信号に1550nm、監視系の下り信号に1490nm、監視系の上り信号に1310nmの波長の光を使用し、それら信号を一心双方向WDM伝送で通信を行うようにしてある。
【００２５】
図８の監視機能付きEDFA機器６０を使用する場合は、例えば、図９のようにCATVセンタ５０に接続する。図９のCATVセンタ５０の構成は基本的には図５のCATVセンタ５０の構成と同じであり、異なるのはCATVセンタ５０の入出力端側に３波WDMフィルタ５５を設けたことである。図９のCATVセンタ５０から送り出される映像系信号（1550nm）及び監視系下り信号（1490nm）は、外部施設（EDFA機器）６０のEDFA６１の上流側３波WDMフィルタ８３（図８）で分配され、このうち、映像系信号（1550nm）はEDFA機器６０のEDFA６１に、監視系下り信号（1490nm）はEDFA機器６０の上流側光トランシーバ７３の上流側のWDMフィルタ７７に入力され、イーサネットスイッチングハブ部７１からCPU７２に送られてCPU７２を呼び出す。EDFA６１に異常があると、CPU７２が検出し、CPU７２と図９のCATVセンタ５０の監視装置５２とで通信が行われて、EDFA６１の異常が監視される。なお、本件発明ではイーサネット、イーサネットスイッチングハブ部７１を使用しているが、これらはCSMA/CD方式（Carrier Sense Multiple Access/Collision Detection：搬送波感知多重アクセス／衝突検出方式：LANにおけるバス型結合方式を用いるアクセス制御方式の一つ）であれば、他のものを使用することもできる。
【図面の簡単な説明】
【００２６】
【図１】公衆回線を使用するEDFA監視装置の説明図。
【図２】EDFAの内部ブロック図
【図３】（ａ）は図１のセンタ用EDFAのブロック図、（ｂ）は図１の外部施設用EDFAのブロック図。
【図４】EDFA機器とCATVセンターを１対１で接続してEDFAを監視する監視システムの説明図。
【図５】本発明の監視機能つきEDFA機器（映像系１心、監視系１心）の内部ブロック図。
【図６】イーサネットスイッチの説明図。
【図７】図５の監視機能付きEDFA機器を使用したEDFA監視システムの一例を示す説明図。
【図８】本発明の監視機能つきEDFA機器（１心３波WDM方式）の内部ブロック図。
【図９】図８の監視機能付きEDFA機器を使用したEDFA監視システムの一例を示す説明図。
【符号の説明】
【００２７】
１、２  ＰＤ
３、４  アイソレータ
５  励起光源
６  コントローラ
５０ CATVセンタ
５１ CATVセンタのEDFA
５２ 監視装置
５３ スイッチングハブ
５４ メディアコンバータ
５５ CATVセンタの３波用WDMフィルタ
６０ EDFA機器
６１ EDFA機器のEDFA
７０ 異常送受信部
７１ イーサネットスイッチングハブ部
７２ CPU
７３ 上流側光トランシーバ
７４ 下流側光トランシーバ
７５、７９  Ｏ／Ｅ変換器
７６、７８ Ｅ／Ｏ変換器 
７７ 上流側のWDMフィルタ
８０ 下流側のWDMフィルタ
８１ 映像系の光ファイバ
８２ 監視系の光ファイバ
８３ EDFA機器の上流側の３波WDMフィルタ
８４ EDFA機器の下流側の３波WDMフィルタ
８５ 光ファイバ
【図１】
0004689978.tif 000002
【図２】
0004689978.tif 000003
【図３】
0004689978.tif 000004
【図４】
0004689978.tif 000005
【図５】
0004689978.tif 000006
【図６】
0004689978.tif 000007
【図７】
0004689978.tif 000008
【図８】
0004689978.tif 000009
【図９】
0004689978.tif 000010